(57)【特許請求の範囲】
【請求項１】
片面に粘着面をもったラベル状仮蓋をその粘着面を介して容器口部の端面に貼り付け、容器口部を一時的に塞ぐ方法において、複数のエア吸引孔と縁部の一部に溝とが形成された吸引保持面を有する弾性体を取付けた仮蓋吸引保持手段を用い、該仮蓋吸引保持手段の吸引保持面でラベル状仮蓋を吸引保持し、該ラベル状仮蓋を保持した吸引保持面を容器口部の端面に押し当てることにより、ラベル状仮蓋の粘着面を容器口部の端面に接着させるとともに、前記吸引保持面の溝に面した仮蓋部分を溝側に変形させ、該変形した仮蓋部分により容器内外を連通させる通気路を形成させることを特徴とする容器口部の仮蓋取付け方法。
【請求項２】
片面に粘着面をもったラベル状仮蓋をその粘着面を介して容器口部の端面に貼り付け、容器口部を一時的に塞ぐ方法において、複数のエア吸引孔と縁部の一部に溝とが形成されているとともに該溝内に少なくとも１個のエア吸引孔が存在する吸引保持面を有する仮蓋吸引保持手段を用い、該仮蓋吸引保持手段の吸引保持面でラベル状仮蓋を吸引保持し、該ラベル状仮蓋を保持した吸引保持面を容器口部の端面に押し当てることにより、ラベル状仮蓋の粘着面を容器口部の端面に接着させるとともに、前記吸引保持面の溝に面した仮蓋部分を溝側に変形させ、該変形した仮蓋部分により容器内外を連通させる通気路を形成させることを特徴とする容器口部の仮蓋取付け方法。
【請求項３】
片面に粘着面をもったラベル状仮蓋をその粘着面を介して容器口部の端面に貼り付け、容器口部を一時的に塞ぐ方法において、複数のエア吸引孔と縁部の一部に溝とが形成されているとともに該溝内に少なくとも１個のエア吸引孔が存在する吸引保持面を有する弾性体を取付けた仮蓋吸引保持手段を用い、該仮蓋吸引保持手段の吸引保持面でラベル状仮蓋を吸引保持し、該ラベル状仮蓋を保持した吸引保持面を容器口部の端面に押し当てることにより、ラベル状仮蓋の粘着面を容器口部の端面に接着させるとともに、前記吸引保持面の溝に面した仮蓋部分を溝側に変形させ、該変形した仮蓋部分により容器内外を連通させる通気路を形成させることを特徴とする容器口部の仮蓋取付け方法。
【請求項４】
片面に粘着面をもったラベル状仮蓋をその粘着面を介して容器口部の端面に貼り付ける装置であって、ラベル状仮蓋を供給する仮蓋供給手段と、供給されたラベル状仮蓋を吸引保持して容器口部の端面に貼り付けるための仮蓋吸引保持手段を有し、前記仮蓋吸引保持手段は複数のエア吸引孔を有するとともに縁部の一部に溝が形成された吸引保持面を有する弾性体を備えていることを特徴とする容器口部の仮蓋取付け装置。
【請求項５】
片面に粘着面をもったラベル状仮蓋をその粘着面を介して容器口部の端面に貼り付ける装置であって、ラベル状仮蓋を供給する仮蓋供給手段と、供給されたラベル状仮蓋を吸引保持して容器口部の端面に貼り付けるための仮蓋吸引保持手段を有し、前記仮蓋吸引保持手段は複数のエア吸引孔を有するとともに縁部の一部に溝が形成されているとともに該溝内に少なくとも１個のエア吸引孔が存在する吸引保持面を有することを特徴とする容器口部の仮蓋取付け装置。
【請求項６】
片面に粘着面をもったラベル状仮蓋をその粘着面を介して容器口部の端面に貼り付ける装置であって、ラベル状仮蓋を供給する仮蓋供給手段と、供給されたラベル状仮蓋を吸引保持して容器口部の端面に貼り付けるための仮蓋吸引保持手段を有し、前記仮蓋吸引保持手段は複数のエア吸引孔を有するとともに縁部の一部に溝が形成されているとともに該溝内に少なくとも１個のエア吸引孔が存在する吸引保持面を有する弾性体を備えていることを特徴とする容器口部の仮蓋取付け装置。
【発明の詳細な説明】
【０００１】
【発明の属する技術分野】
この発明は、缶の口金部やびんの口部などの容器口部を一時的に塞ぐ容器口部の仮蓋取付け方法及び仮蓋取付け装置に関するものである。
【０００２】
【従来の技術】
容器を取り扱う作業工程において、容器口部を一時的に塞ぐ必要がある場合がある。例えば、ドラム缶の製造工程では、ドラム缶の外面を塗装する際に、缶内に塗料が入り込まないように口金部に仮蓋を取り付ける。また、食品工業等では、洗浄したびんを次の工程に搬送する場合に、びんに塵埃や異物が入り込まないようにびんの口部に仮蓋をすることがある。これらの仮蓋は塗装後あるいは食品等の充填前に取り外される。仮蓋としては、その性格上、取り付けおよび取り外しが容易でかつ安価であるシールテープやラベル状のものが用いられている。
【０００３】
ただし、容器口部に仮蓋をしたのちに、容器の塗装、乾燥、運搬、保存等の取扱い中に容器の温度が変化し、容器内部の圧力が大気圧より高くまたは低くなる可能性があり、その時に、容器口部をシールテープやラベル状の仮蓋で完全に密閉していると、生じた容器内外の圧力差によって、仮蓋が容器口部から剥がれ落ちたり容器内部に引き込まれることがある。
【０００４】
そこで、シールテープやラベル状の仮蓋が容器口部から剥がれ落ちたり容器内部に引き込まれることを防止した仮蓋の取り付け方法として、特開昭５５−５５９８３号公報、特公平６−５５５号公報に下記の技術が開示されている。
【０００５】
特開昭５５−５５９８３号に開示された先行技術１は、予め容器内部を減圧した状態でシールテープを容器充填口に貼り付け仮封止することによって、容器内部の温度上昇で容器内部の圧力が上昇しても大気圧と釣り合うようにしたものである。
【０００６】
特公平６−５５５号に開示された先行技術２は、粘着面に粘着剤が縞状に塗布されているラベル状仮蓋を用いることによって、容器内部の温度が変化して容器内部の圧力と大気圧との圧力差が生じると、ラベル状仮蓋の粘着剤が塗布されていない個所と容器口部との間に外気に通じる通気路が形成されるようにすることで、大気圧との圧力差が解消されるようにしたものである。
【０００７】
【発明が解決しようとする課題】
しかし、先行技術１は、専ら容器内部の温度上昇で容器内部の圧力が上昇した場合に仮蓋が容器口部から剥がれ落ちることを防止するものであり、容器内部の温度下降で容器内部の圧力が下降する場合には対応できない。
【０００８】
また、先行技術２は、ラベル状仮蓋が容器口部に取付けられた時には通気路が形成されているわけではないので、容器内部の温度が上昇して容器内部の圧力が上昇した場合は、ラベル状仮蓋の粘着剤が塗布されていない個所が容器内部の圧力によって押し上げられて通気路が形成されるが、塗装終了後や乾燥終了後のように容器内部の温度が下降して容器内部の圧力が下降した場合は、ラベル状仮蓋の粘着剤が塗布されていない個所が大気圧によって押しつけられるので適切な通気路が形成されない可能性がある。さらに、全てのラベル状仮蓋に粘着剤を縞状に塗布しなければならず、そのための塗布作業に手間が掛かる。
【０００９】
従って、本発明の目的は、以上のような従来技術の問題を解決し、容器口部に仮蓋を簡便に取付けることができるとともに、容器内部の温度変化により容器内外で圧力差が生じても仮蓋が容器口部から剥がれ落ちたり容器内部に引き込まれることを適切に防止できる容器口部の仮蓋取付け方法及び仮蓋取付け装置を提供することにある。
【００１０】
【課題を解決するための手段】
上記の課題は下記の手段によって解決される。
【００１１】
［１］片面に粘着面をもったラベル状仮蓋をその粘着面を介して容器口部の端面に貼り付け、容器口部を一時的に塞ぐ方法において、複数のエア吸引孔と縁部の一部に溝とが形成された吸引保持面を有する弾性体を取付けた仮蓋吸引保持手段を用い、該仮蓋吸引保持手段の吸引保持面でラベル状仮蓋を吸引保持し、該ラベル状仮蓋を保持した吸引保持面を容器口部の端面に押し当てることにより、ラベル状仮蓋の粘着面を容器口部の端面に接着させるとともに、前記吸引保持面の溝に面した仮蓋部分を溝側に変形させ、該変形した仮蓋部分により容器内外を連通させる通気路を形成させることを特徴とする容器口部の仮蓋取付け方法。
【００１２】
［２］片面に粘着面をもったラベル状仮蓋をその粘着面を介して容器口部の端面に貼り付け、容器口部を一時的に塞ぐ方法において、複数のエア吸引孔と縁部の一部に溝とが形成されているとともに該溝内に少なくとも１個のエア吸引孔が存在する吸引保持面を有する仮蓋吸引保持手段を用い、該仮蓋吸引保持手段の吸引保持面でラベル状仮蓋を吸引保持し、該ラベル状仮蓋を保持した吸引保持面を容器口部の端面に押し当てることにより、ラベル状仮蓋の粘着面を容器口部の端面に接着させるとともに、前記吸引保持面の溝に面した仮蓋部分を溝側に変形させ、該変形した仮蓋部分により容器内外を連通させる通気路を形成させることを特徴とする容器口部の仮蓋取付け方法。
【００１３】
［３］片面に粘着面をもったラベル状仮蓋をその粘着面を介して容器口部の端面に貼り付け、容器口部を一時的に塞ぐ方法において、複数のエア吸引孔と縁部の一部に溝とが形成されているとともに該溝内に少なくとも１個のエア吸引孔が存在する吸引保持面を有する弾性体を取付けた仮蓋吸引保持手段を用い、該仮蓋吸引保持手段の吸引保持面でラベル状仮蓋を吸引保持し、該ラベル状仮蓋を保持した吸引保持面を容器口部の端面に押し当てることにより、ラベル状仮蓋の粘着面を容器口部の端面に接着させるとともに、前記吸引保持面の溝に面した仮蓋部分を溝側に変形させ、該変形した仮蓋部分により容器内外を連通させる通気路を形成させることを特徴とする容器口部の仮蓋取付け方法。
【００１４】
［４］片面に粘着面をもったラベル状仮蓋をその粘着面を介して容器口部の端面に貼り付ける装置であって、ラベル状仮蓋を供給する仮蓋供給手段と、供給されたラベル状仮蓋を吸引保持して容器口部の端面に貼り付けるための仮蓋吸引保持手段を有し、前記仮蓋吸引保持手段は複数のエア吸引孔を有するとともに縁部の一部に溝が形成された吸引保持面を有する弾性体を備えていることを特徴とする容器口部の仮蓋取付け装置。
【００１５】
［５］片面に粘着面をもったラベル状仮蓋をその粘着面を介して容器口部の端面に貼り付ける装置であって、ラベル状仮蓋を供給する仮蓋供給手段と、供給されたラベル状仮蓋を吸引保持して容器口部の端面に貼り付けるための仮蓋吸引保持手段を有し、前記仮蓋吸引保持手段は複数のエア吸引孔を有するとともに縁部の一部に溝が形成されているとともに該溝内に少なくとも１個のエア吸引孔が存在する吸引保持面を有することを特徴とする容器口部の仮蓋取付け装置。
【００１６】
［６］片面に粘着面をもったラベル状仮蓋をその粘着面を介して容器口部の端面に貼り付ける装置であって、ラベル状仮蓋を供給する仮蓋供給手段と、供給されたラベル状仮蓋を吸引保持して容器口部の端面に貼り付けるための仮蓋吸引保持手段を有し、前記仮蓋吸引保持手段は複数のエア吸引孔を有するとともに縁部の一部に溝が形成されているとともに該溝内に少なくとも１個のエア吸引孔が存在する吸引保持面を有する弾性体を備えていることを特徴とする容器口部の仮蓋取付け装置。
【００１７】
【発明の実施の形態】
本発明に係る容器口部の仮蓋取付け方法及び仮閉蓋取付け装置について、ドラム缶の口部に仮蓋を取付ける場合を例に、その実施の形態を説明する。
【００１８】
（第１の実施の形態）
図１は、本発明の第１の実施形態を示す図である。１はドラム缶であり、２はドラム缶１の天板に設けられている注入口である。３は仮蓋取付け装置であり、順次送られてきたドラム缶１の注入口２に仮蓋を取付ける。４は片面に粘着面をもった円形のラベル状仮蓋であり、薄くて柔らかい紙やプラスチックで作られている。５はラベル状仮蓋４が所定の間隔で貼り付けられているロール状台紙である。６はロール状台紙５を装着した送出リールであり、７は送出リール６から送られてきたロール状台紙５からラベル状仮蓋４を剥がす剥離板である。８はロール状台紙５から剥がされたラベル状仮蓋４を吸引保持し注入口２に貼り付ける吸着グリッドである。９はロール状台紙６を巻き取るための巻取りリールである。
【００１９】
図２は前記吸着グリッド８の詳細を示す図であり、（ａ）は縦断面図、（ｂ）は底面図である。吸着グリッド８はウレタンやゴム等の弾性体によって作られており、金属製のブラケットに取付けられている。吸着グリッド８の底面は吸引保持面８Ａであり、ラベル状仮蓋４を吸引保持するための複数個のエア吸引孔１１が形成されているとともに、縁部の一部に溝１０が形成されている。
【００２０】
そして、図３は、上述の仮蓋取付け装置を用いて仮蓋を取付ける方法を説明する図であり、供給されたラベル状仮蓋４を吸引保持した吸着グリッド８が下降して、ラベル状仮蓋４を注入口２の端面に押圧した状態を示している。（ａ）はその縦断面図であり、（ｂ）は（ａ）のＡ−Ａ矢視図である。
【００２１】
吸着グリッド８が注入口２の端面にラベル状仮蓋４を押圧した際、注入口２の端面近傍の吸引保持面８Ａは注入口２端面からの反力を受けるのに対して、注入口２の中央部付近の吸引保持面８Ａは注入口２の反力を受けない。したがって、図３（ａ）に示すように吸引保持面８Ａは注入口２の内側に張り出すような形で弾性変形をする。そして、弾性変形した吸引保持面８Ａに添ってラベル状仮蓋仮蓋４も注入口２の内側に張り出すような形になる。そのため、吸引保持面８Ａの溝１０に面した個所のラベル状仮蓋４は吸引保持面８Ａと注入口２端面からの拘束が無いことから、溝１０の内部に持ち上げられるような形に変形する。一方、それ以外の注入口２端面に押圧された個所のラベル状仮蓋４は粘着面によって注入口２端面に貼り付けられる。その結果、ラベル状仮蓋４と注入口２の間に大気に通じる通気路１２が形成される。
【００２２】
図４は、上記の仮蓋取付け方法によってドラム缶の注入口２にラベル状仮蓋４が取り付けられた状態を示す図である。このように、ラベル状仮蓋４が取り付けられた時点で大気に通じる通気路１２が形成されているので、ドラム缶１内部の温度変化によりドラム缶１内外で圧力差が生じても、大気に通じる通気路１２によって圧力差が確実に解消され、ラベル状仮蓋４が注入口２から剥がれ落ちたりドラム缶１内部に引き込まれることを適切に防止できる。
【００２３】
なお、上述の説明では、吸引保持面の縁部に面する溝は一個所であったが、図５（ａ）に縦断面図、（ｂ）に底面図を示すように、吸引保持面８Ａの縁部の一端から他端までつながった溝１０’を設けることでもよい。その場合は、通気路が２個所形成されることになる。
【００２４】
（第２の実施の形態）
図６は、本発明の第２の実施形態を示す図である。前記の第１の実施形態においては、吸着グリッドにウレタン等の弾性体を用いたが、第２の実施の形態では、吸着グリッドの材質は限定しないが、図６（ａ）に縦断面図、（ｂ）に底面図を示すように、吸着グリッド１８の底面の吸引保持面１８Ａに形成されている溝１０にエア吸引孔１１を設けている。１１Ａはエア吸引路である。
【００２５】
そして、図７は、図６に示す仮蓋取付け装置を用いて仮蓋を取付ける方法を説明する図である。供給されたラベル状仮蓋４を吸引保持した吸着グリッド１８が下降して、ラベル状仮蓋４を注入口２の端面に押圧した状態を示している。（ａ）はその縦断面図であり、（ｂ）は（ａ）のＡ−Ａ矢視図である。
【００２６】
吸引保持面１８Ａの溝１０に面した個所のラベル状仮蓋４は、吸引保持面１８Ａと注入口２端面からの拘束が無いことから、エア吸引孔１１によって溝１０の内部に持ち上げられるような形で変形する。一方、それ以外の注入口２端面に押圧された個所のラベル状仮蓋仮蓋１３は粘着面によって注入口２端面に貼り付けられる。その結果、ラベル状仮蓋４と注入口２の間に大気に通じる通気路１２が形成される。
【００２７】
これによって、第１の実施の形態の場合と同様に、ドラム缶１内部の温度変化によりドラム缶１内外で圧力差が生じても、大気に通じる通気路１２によって圧力差が確実に解消されるので、ラベル状仮蓋４が注入口２から剥がれ落ちたりドラム缶１内部に引き込まれることを適切に防止できる。
【００２８】
（第３の実施の形態）
図８は、本発明の第３の実施形態を示す図である。（ａ）に縦断面図、（ｂ）に底面図を示すように、前記の第１の実施形態と同様にウレタン等の弾性体の吸着グリッド８を用い、吸着グリッド８の底面の吸引保持面８に形成されている溝１０にエア吸引孔１１を設けている。
【００２９】
これによって、吸着グリッド８の弾性変形と溝１０内のエア吸引孔１１の吸引力との複合作用により、ラベル状仮蓋４と注入口２の間に大気に通じる通気路１２が容易に形成される。
【００３０】
【発明の効果】
本発明によって、容器口部に仮蓋を簡便に取付けることができるとともに、取付け時に容器内外に連通する通気路が形成されるので、容器内部の温度変化により容器内外で圧力差が生じても、通気路によって圧力差が確実に解消され、仮蓋が容器口部から剥がれ落ちたり容器内部に引き込まれることを適切に防止できる。
【図面の簡単な説明】
【図１】本発明の第１の実施形態を示す説明図である。
【図２】本発明の第１の実施形態の詳細を示す説明図である。
【図３】本発明の第１の実施形態における仮蓋取付け方法の説明図である。
【図４】本発明の第１の実施形態において仮蓋が取り付けられた状態を示す説明図である。
【図５】本発明の第１の実施形態における他の例を示す説明図である。
【図６】本発明の第２の実施形態を示す説明図である。
【図７】本発明の第２の実施形態における仮蓋取付け方法の説明図である。
【図８】本発明の第３の実施形態を示す説明図である。
【符号の説明】
１  ドラム缶
２  ドラム缶の注入口
３  仮蓋取付け装置
４  ラベル状仮蓋
５  ロール状台紙
６  送出リール
７  剥離板
８  吸着グリッド
８Ａ  吸引保持面
９  巻取りリール
１０、１０’  溝
１１  エア吸引孔
１２  通気路
１３  ブラケット
１８  吸着グリッド
１８Ａ  吸引保持面
【図１】
0003554725.tif 000002
【図２】
0003554725.tif 000003
【図３】
0003554725.tif 000004
【図４】
0003554725.tif 000005
【図５】
0003554725.tif 000006
【図６】
0003554725.tif 000007
【図７】
0003554725.tif 000008
【図８】
0003554725.tif 000009